(57)【要約】【課題】圧縮データの出力までに必要な時間を短縮することができる車載電子機器を提供すること。【解決手段】ＲＯＭ１２には、デッキ４への電力供給に係る供給処理、ディスク３に記憶され圧縮データの構造に対応する構造データをＲＡＭ１４またはＨＤＤ１８に記憶させる記憶処理およびディスプレイ２２などに係る他の処理をＣＰＵ１４に実行させ、かつ、他の処理の実行が供給処理の実行中に要求された場合、記憶処理が完了した後に供給処理を終了する制御部としてＣＰＵ１４として機能させるためのプログラムが格納されている。【選択図】図１
2006294133.tif 000002
【特許請求の範囲】
【請求項１】
ディスク載置側への電力供給に係る供給処理、ディスクに記憶され圧縮データの構造に対応する構造データを記憶媒体に記憶させる記憶処理および周辺機器に係る他の処理を実行する車載電子機器であって、
前記他の処理の実行が前記供給処理の実行中に要求された場合、前記記憶処理が完了した後に前記供給処理を終了する制御部を備える車載電子機器。
【請求項２】
前記制御部は、前記記憶処理が完了した後に前記他の処理を実行することを特徴とする請求項１に記載の車載電子機器。
【請求項３】
前記制御部は、ＴＯＣデータから求まる記憶処理時間をディスプレイに表示させることを特徴とする請求項２に記載の車載電子機器。
【請求項４】
前記制御部は、前記他の処理の実行中に記憶処理時間をディスプレイに表示させることを特徴とする請求項３に記載の車載電子機器。
【請求項５】
前記制御部は、記憶処理時間が予め定められた時間以上であれば、記憶処理時間をディスプレイに表示させることを特徴とする請求項３に記載の車載電子機器。
【発明の詳細な説明】
【技術分野】
【０００１】
本発明は、データの読出処理および他の処理を実行する車載電子機器に関するものであって、より詳しくは、ＡＶ装置やナビゲーション装置などに関するものである。
【背景技術】
【０００２】
背景技術として、リモート＋Ｂ出力ラインの電流が０であれば、プラス・ライン遮断スイッチを遮断制御して外部アンプを使用不可能にし、他方、リモート＋Ｂ出力ラインの電流が０でなければ、プラス・ライン遮断スイッチを接続制御して外部アンプを使用可能にすることで、外部アンプや本体などがノイズを拾うことを防止する車載用音響装置が知られている（特許文献１を参照）。
【０００３】
また、圧縮オーディオデータが記録されたＣＤ−Ｒが挿入されると、ＣＤ−Ｒ内の所定の領域に記憶されたパステーブルの情報を読み込み、パステーブルの情報に基づいて全てのオーディオデータファイルについてファイル位置情報を作成し、ファイル位置情報をフラッシュＲＯＭに格納する圧縮オーディオ再生機器が知られている（例えば、特許文献２を参照）。
【特許文献１】特開２００３−２８９２２３号公報（第２頁、第２図）
【特許文献２】特開２００４−２９５９２８号公報（第６頁、第４図−第５図）
【発明の開示】
【発明が解決しようとする課題】
【０００４】
特許文献１に記載されたとおり、車載電子機器では、電力線の密集が避けられず、ノイズ対策が重要である。例えば、電力がディスク駆動用のモータに供給されていると、他の周辺機器がノイズを拾ってしまう。したがって、他の周辺機器への制御の実行中にはモータへの電力供給を停止することが望ましい。具体的には、オーディオ音声に対応するオーディオデータがＣＤ−ＲＯＭから読み出されている場合に、ラジオ音声の出力が要求されると、ＣＤ−ＲＯＭを駆動するためのモータへの電力供給が停止され、オーディオデータの読み出しは停止される。そして、オーディオ音声の出力が再び要求されると、オーディオデータの読み出しは初めからやり直されていた。
【０００５】
このような車載電子機器において、圧縮オーディオデータがパステーブル情報を参照して読み出される場合、ラジオ音声の出力がＣＤ−ＲＯＭからのパステーブル情報の読み出し中に要求されると、ＣＤ−ＲＯＭを駆動するためのモータへの電力供給が停止され、ＣＤ−ＲＯＭからのパステーブル情報の読み出しは停止される。そして、オーディオ音声の出力が再び要求されると、パステーブル情報の読み出しは初めからやり直されることになる。
【０００６】
ところが、圧縮データの構造が複雑になれば、パステーブル情報の容量は非常に大きくなり、パステーブル情報をＣＤ−ＲＯＭから読み出すためには、多くの時間が必要である。つまり、オーディオ音声の出力がラジオ音声の出力中に要求された場合、オーディオ音声の出力に多くの時間が必要になるという課題があった。
【０００７】
そこで、本発明は、前述の課題を解決するためになされたもので、圧縮データの出力までに必要な時間を短縮することができる車載電子機器を提供することを目的とする。
【課題を解決するための手段】
【０００８】
本発明に係る車載電子機器は、ディスク載置側への電力供給に係る供給処理、ディスクに記憶され圧縮データの構造に対応する構造データを記憶媒体に記憶させる記憶処理および周辺機器に係る他の処理を実行する車載電子機器であって、前記他の処理の実行が前記供給処理の実行中に要求された場合、前記記憶処理が完了した後に前記供給処理を終了する制御部を備える。本発明での字句の解釈は、次のとおりである。
【０００９】
「ディスク」とは、円状の記憶媒体であって、その一例として、ＣＤ−ＲＯＭ、ＣＲ−Ｒ、ＣＤ−ＲＷ、ＤＶＤ−ＲＯＭ、ＤＶＤ−ＲＡＭ、ＭＤ（登録商標）などがある。
【００１０】
「ディスク載置側」として、ディスク駆動用のモータやピックアップ駆動用のモータなどがある。
【００１１】
「データ構造」とは、各圧縮データの関連付けを定義するデータであって、一例として、ＩＳＯにおけるパステーブルなどがある。
【００１２】
「記憶媒体」としては、データ構造を一時的または半永久的に記憶するものであればよく、一例として、ＲＡＭやＨＤＤなどがある。
【００１３】
「周辺機器」とは、制御部に電気的に接続される機器であって、一例として、ディスプレイ、スピーカやアンテナなどがある。
【００１４】
「周辺機器に係る他の処理」の一例として、次のものがある。「周辺機器」がディスプレイまたはスピーカであれば、「他の処理」は、特定のデータに対応する出力を行わせる出力処理である。他方、「周辺機器」がアンテナであれば、「他の処理」は、特定のデータを受信する受信処理である。
【００１５】
「供給処理を終了する」とは、ディスク載置側にあるモータなどへの電力供給を遮断することである。
【００１６】
「制御部」は、前記記憶処理が完了した後に前記他の処理を実行してもよい。「制御部」は、ＴＯＣデータから求まる記憶処理時間をディスプレイに表示させるものでもよい。「制御部」は、前記他の処理の実行中に記憶処理時間をディスプレイに表示させるものでもよい。「制御部」は、記憶処理時間が予め定められた時間以上であれば、記憶処理時間をディスプレイに表示させるものでもよい。
【００１７】
「ＴＯＣデータ」とは、ファイル数やフォルダ数などを示すデータであって、ディスクの内周側に記憶されるデータである。
【００１８】
「から求まる」とは、ＴＯＣデータおよび転送速度を用いて演算される場合、ＴＯＣデータと読出時間とを対応付けたテーブルを用いる場合を含む概念である。
【００１９】
「記憶処理時間」としては、記憶処理が完了するまでの残り時間や記憶処理が完了する時刻などがある。
【００２０】
「ディスプレイに表示させる」態様として、記憶処理時間を棒状の図柄で表示する態様や記憶処理時間を数値で表示する態様などがある。
【００２１】
「予め定められた時間」は、装置の状況に対応して適宜設定されるものであるが、好ましくは、３ないし１０秒程度である。
【発明の効果】
【００２２】
本発明は、他の処理の実行が供給処理の実行中に要求された場合に記憶処理が完了した後に供給処理を終了するので、圧縮データの出力までに必要な時間を短縮することができるという効果を有する。
【発明を実施するための最良の形態】
【００２３】
以下、本発明に係る車載電子機器を実施するための最良の形態であるＡＶ装置について、図１ないし図３を参照しながら説明する。
【００２４】
＜装置の構成＞図１に示すように、ＡＶ装置１は、データを処理する制御部２と、ディスク３からデータを読み取るデッキ４とを備える。ディスク３には、圧縮データのほかに、ＴＯＣデータや圧縮データの構造に対応する構造データなどが記憶されている。また、デッキ４は、図示しない車両に設けられた電源５から電力の供給を受ける。
【００２５】
制御部２は、データの入出力を行うＩ／Ｏ１１と、各種プログラムを格納するＲＯＭ１２と、ＲＯＭ１２に格納されたプログラムを解釈し実行するＣＰＵ１３と、Ｉ／Ｏ１１やＣＰＵ１３などからのデータを保持するＲＡＭ１４と、画像データを処理する画像プロセッサ１５と、画像データを保持するＶＲＡＭ１６と、音声データを処理するＤＳＰ１７と、各種データを記憶するＨＤＤ１８とを備え、これらはバスで接続されている。
【００２６】
Ｉ／Ｏ１１には、デッキ４、操作に応じた操作データを出力する操作スイッチ２０、ＴＶ放送データやラジオ放送データなどを受信するアンテナ２１、画像を表示するディスプレイ２２、デジタルデータをアナログデータに変換するＤ／Ａ２３、Ｄ／Ａ２３からのアナログデータを増幅するアンプ２４およびアンプ２４からのアナログデータに対応する音声を出力するスピーカ２５が接続されている。
【００２７】
ＲＯＭ１２には、デッキ４への電力供給に係る供給処理、ディスク３に記憶され圧縮データの構造に対応する構造データをＲＡＭ１４またはＨＤＤ１８に記憶させる記憶処理およびディスプレイ２２などに係る他の処理をＣＰＵ１４に実行させ、かつ、他の処理の実行が供給処理の実行中に要求された場合、記憶処理が完了した後に供給処理を終了する制御部としてＣＰＵ１４として機能させるためのプログラムが格納されている。
【００２８】
他方、デッキ４は、制御部２からの制御データに応じて電源５からモータ３１への電力供給を制御する駆動回路３２と、制御部２からの制御データに応じて電源５からピックアップ３３への電力供給を制御する光学回路３４とを備える。
【００２９】
モータ３１には、ディスク３を回転させるためのスピンドルモータと、ピックアップ３３を移動させるためのアクチュエータとがある。
【００３０】
ピックアップ３３は、ディスク３に対して光を照射し、その反射光を受光してデータを出力するものである。
【００３１】
＜処理の流れ＞以上のように構成されたＡＶ装置１について、図２および図３を参照しながらその動作を説明する。図２に示すように、ＣＰＵ１３は、ＲＯＭ１２に格納されたプログラムを解釈し、以下の処理を実行する。
【００３２】
ＣＰＵ１３は、デッキ４への電力供給に係る供給処理を実行する（ステップＳ１）。このとき、駆動回路２１は、制御部２からの制御データに応じて電源５からモータ３１に対して電力を供給し、ディスク３はモータ３１から回転力を得る。他方、光学回路３４は、制御部２からの制御データに応じて電源５からピックアップ３３に対して電力を供給し、ディスク３はピックアップ３３から光を照射される。
【００３３】
ステップＳ１で供給処理が実行されると、ＣＰＵ１３は、ディスク３に記憶され圧縮データの構造に対応する構造データをＲＡＭ１４またはＨＤＤ１８に記憶させる記憶処理を実行する（ステップＳ２）。このとき、構造データのほかに、ＴＯＣデータもＲＡＭ１４またはＨＤＤ１８に記憶される。
【００３４】
ステップＳ２で記憶処理が実行されている最中に、ＴＶ画像の表示要求が操作スイッチ２０でなされると（割り込み）、ＣＰＵ１３は、記憶処理が完了したか否かを判定する（ステップＳ３）。ここで、記憶処理の完了を示すフラグは、ＲＡＭ１４に保持されている。
【００３５】
ステップＳ３で記憶処理が完了したとの判定がなされると（Ｓ３のＹｅｓ）、ＣＰＵ１３は、供給処理を停止させるための供給停止処理を実行する（ステップＳ４）。このとき、デッキ４では、駆動回路３２および光学回路３４がＣＰＵ１３からの制御データに応じて電源５からの電力の供給を遮断する。
【００３６】
ステップＳ４で供給停止処理が実行されると、ＣＰＵ１３は、ディスプレイ２２に対してＴＶ画像を表示させるＴＮ表示処理を実行する（ステップＳ５）。このとき、画像プロセッサ１５は、ＣＰＵ１３からの制御データに応じて、ＶＲＡＭ１６に保持されたＴＶ放送データをディスプレイ２２側に出力する。ディスプレイ２２は、ＴＶ放送データに対応する画像を表示する。
【００３７】
他方、ステップＳ３で記憶処理が完了していないとの判定がなされると（Ｓ３のＮｏ）、ＣＰＵ１３は、記憶処理が完了するまでに必要な読取処理時間を演算する時間演算処理を実行する（ステップＳ６）。具体的には、ＲＡＭ１４に保持されたＴＯＣデータがファイル数などを示しているので、平均的なファイル容量がファイル数に乗算される。この乗算値がデータ転送速度で除算されることで、読取処理時間の最大値が得られる。他方で、記憶処理が開始されてからの経過時間が算出され、読取処理時間の最大値から経過時間を減算したものが記憶処理が完了するまでの残り時間である。また、読取処理時間の最大値から経過時間を減算したものを現在時刻に加算したものが記憶処理が完了する時刻となる。
【００３８】
ステップＳ５で時間演算処理が実行されると、ＣＰＵ１３は、読取処理時間をディスプレイ２２に表示させる時間表示処理を実行する（ステップＳ７）。このとき、画像プロセッサ１５は、ＣＰＵ１３からの制御データに応じて、ＶＲＡＭ１６に保持されたＴＶ放送データをディスプレイ２２側に出力する。ディスプレイ２２は、ＴＶ放送データに対応する画像を表示する。このとき、画像プロセッサ１５は、ＣＰＵ１３からの制御データに応じて、ＶＲＡＭ１６に保持された読取処理時刻を示す画像データをディスプレイ２２側に出力する。ディスプレイ２２は、読取処理時刻を示す画像データに対応する画像を表示する。例えば、残り時間は棒状の図柄または数値で表示され（図３（ａ）を参照）、完了時刻は、数値で表示される（図３（ｂ）を参照）。ＴＶ表示処理が記憶処理の完了を条件とせずに実行される場合であれば、残り時間または完了時刻は、ＴＶ画像とともに表示される。
【００３９】
＜本実施の形態の効果＞以上本実施の形態によれば、ＴＶ画像の表示が構造データの記憶中に要求されても、全ての構造データがＲＡＭ１４またはＨＤＤ１８に記憶されるので、圧縮データの出力がＴＶ画像の表示中に要求された場合であっても、構造データの記憶処理を実行する必要がなく、圧縮データの出力までに必要な時間を短縮することができる。
【００４０】
本実施の形態によれば、記憶処理が完了した後にＴＶ画像の表示が実行されるので、供給処理または記憶処理に起因するノイズがＴＶ画像の表示に影響することを防ぐことができる。
【００４１】
本実施の形態によれば、残り時間または完了時刻がディスプレイ２２に表示されるので、アンテナ２１やスピーカ２５などに対するノイズの影響がなくなるまでの時間をユーザに認識させることができる。
【００４２】
本実施の形態によれば、残り時間または完了時刻がＴＶ画像とともにディスプレイ２２に表示されるので、ＴＶ画像に対応するノイズの影響がなくなるまでの時間をユーザに認識させることができる。
【００４３】
＜他の実施の形態＞制御部２は、記憶処理時間が予め定められた時間以上であれば、記憶処理時間をディスプレイ２２に表示させるものであってもよい。この実施の形態によれば、記憶処理がすぐに完了する場合には、残り時間または完了時刻が表示されないので、ユーザに煩わしさを感じさせない。
【産業上の利用可能性】
【００４４】
以上のように、本発明に係る車載電子機器は、圧縮データの出力までに必要な時間を短縮することができるという効果を有し、ＡＶ装置やナビゲーション装置などとして有用である。
【図面の簡単な説明】
【００４５】
【図１】本発明に係る車載電子機器を実施するための最良の形態であるＡＶ装置の構成を示すブロック図
【図２】本実施の形態における制御部の動作を示すフローチャート
【図３】（ａ）本実施の形態における残り時間の表示例を示す図（ｂ）本実施の形態における完了の時刻の表示例を示す図
【符号の説明】
【００４６】
１    ＡＶ装置（車載電子機器）
２    制御部
３    ディスク
１４    ＲＡＭ（記憶媒体）
１８    ＨＤＤ（記憶媒体）
２２    ディスプレイ
【図１】
2006294133.tif 000003
【図２】
2006294133.tif 000004
【図３】
2006294133.tif 000005